(57)【要約】【課題】  フラッシュ発光を容易に制御可能にする。【解決手段】  本体部３の側部には、蓋部２を閉じた状態で、カメラモードのシャッターキーとして機能するキー１２７と、フラッシュ切替キーとして機能するキー１２８とが設けられている。キー１２８を押下するたびに、露出に応じてフラッシュの発光量を自動制御する自動発光モード、所定の発光量で発光する強制発光モード、フラッシュを発光しない発光禁止モードを巡回的に順次切り替わり、いずれかのモードを選択することができるようになっている。シャッターボタン（決定キーまたはキー１２７）が押下されると、撮影状況（露出など）と、その時点の発光モードに従って、フラッシュ用ＬＥＤ１１９の発光の有無、発光量を自動制御して撮影する。【選択図】  図２
2005184696.tif 000002
【特許請求の範囲】
【請求項１】
蓋部と本体部とを備え、かつ折り畳み可能な形状を有し、
撮像手段と、
この撮像手段による撮像時に被写体を明るくするために発光する発光手段と、
当該端末を折り畳んだ状態のときに露出する位置に配設され、前記発光手段による発光動作を指示する第１の操作ボタンと、
前記折り畳んだ状態を解除した状態のときに露出する位置に配設され、前記発光手段による発光動作を指示する第２の操作ボタンと、
当該端末が折り畳み状態か折り畳み状態を解除した状態かを判断する判断手段と、
この判断手段により当該端末が折り畳んだ状態と判断したときは、前記第１の操作ボタンが操作されたことを検出して前記発光手段による発光を指示すると共に、当該端末が折り畳んだ状態を解除した状態と判別したときは、前記第２の操作ボタンが操作されたことを検出して前記発光手段による発光を指示する指示制御手段と
を具備することを特徴とする携帯端末。
【請求項２】
前記発光手段による発光モードの切り替え指示を行う発光モード切替指示手段と、
前記発光モード切替指示手段による切り替え指示が操作されるたびに、前記発光手段による発光モードを順次巡回的に切り替える発光モード切替手段と、
前記撮像手段による撮影時に、前記発光モード切替手段により切り替えられた発光モードで前記発光手段の発光を制御する発光制御手段と
を具備することを特徴とする請求項１に記載の携帯端末。
【請求項３】
前記発光手段は、発光モードとして、露出に応じて発光量を自動制御する自動発光モードと、所定の発光量で強制的に発光する強制発光モードと、発光しない発光禁止モードとを有することを特徴とする請求項２記載の携帯端末。
【請求項４】
蓋部と本体部とを備え、かつ折り畳み可能な形状を有し、被写体を撮影する撮影手段と、撮影手段による露出不足を補うための発光手段とを有する携帯端末におけるフラッシュ制御方法であって、
折り畳み状態を解除した状態では、折り畳み状態を解除したときに露出する位置に配設された第１の操作ボタンが操作されるたびに、前記発光手段による複数の発光モードを順次巡回的に切り替え、前記撮像手段による撮影時に、切り替えられた発光モードで前記発光手段の発光を制御し、
折り畳んだ状態では、折り畳んだ状態のときに露出する位置に配設されている第２の操作ボタンが操作されるたびに、前記発光手段による複数の発光モードを順次巡回的に切り替え、前記撮像手段による撮影時に、切り替えられた発光モードで前記発光手段の発光を制御することを特徴とするフラッシュ制御方法。
【発明の詳細な説明】
【技術分野】
【０００１】
本発明は、フラッシュ機能を内蔵した携帯端末およびフラッシュ制御方法に関する。
【背景技術】
【０００２】
従来より、携帯電話においては、カメラによる撮影機能を有するものが普及している。従来の携帯電話では、カメラ撮影において、露出不足により撮影できないことがある。そこで、フラッシュ装置を携帯電話に装着し、撮影時に発光させることで、露出不足を補うものが提供されていた（例えば特許文献１参照）。しかし、別体のフラッシュ装置を携帯しなければならない、撮影時にフラッシュ装置を装着しなければならないなど、利便性に欠けるという問題があった。そこで、フラッシュ機能を内蔵した携帯電話も提案されている（例えば特許文献２参照）。
【０００３】
【特許文献１】特開２００２−３６８８６２号公報
【特許文献２】特開２００３−０６０７６５号公報
【発明の開示】
【発明が解決しようとする課題】
【０００４】
しかしながら、上記従来技術では、予めフラッシュの発光、非発光を設定することができるものの、撮影動作モード中にフラッシュの発光、非発光を切り替えることができなかった。このため、撮影状況に応じて、初期設定画面でフラッシュの発光、非発光を設定し直さなければならず、操作が煩雑になるとともに、シャッターチャンスを逃すという問題があった。
【０００５】
また、従来、折り畳み式携帯電話においては、撮影者自身、あるいは撮影者を含む被写体を撮影するような場合には、携帯電話を折り畳んだ状態で、レンズ部を被写体（撮影者自身）に向けて把持し、本体側部に配設されているボタン（シャッター）を押下して撮影するようになっているものがある。しかしながら、この場合も、撮影動作モード中にフラッシュの発光、非発光を切り替えることができないため、フラッシュの発光、非発光の設定で操作が煩雑になるとともに、シャッターチャンスを逃すという問題があった。
【０００６】
そこで本発明は、フラッシュ発光を容易に制御することができる携帯端末およびフラッシュ制御方法を提供することを目的とする。
【課題を解決するための手段】
【０００７】
上記目的達成のため、請求項１記載の発明による携帯端末は、蓋部と本体部とを備え、かつ折り畳み可能な形状を有し、撮像手段と、この撮像手段による撮像時に被写体を明るくするために発光する発光手段と、当該端末を折り畳んだ状態のときに露出する位置に配設され、前記発光手段による発光動作を指示する第１の操作ボタンと、前記折り畳んだ状態を解除した状態のときに露出する位置に配設され、前記発光手段による発光動作を指示する第２の操作ボタンと、当該端末が折り畳み状態か折り畳み状態を解除した状態かを判断する判断手段と、この判断手段により当該端末が折り畳んだ状態と判断したときは、前記第１の操作ボタンが操作されたことを検出して前記発光手段による発光を指示すると共に、当該端末が折り畳んだ状態を解除した状態と判別したときは、前記第２の操作ボタンが操作されたことを検出して前記発光手段による発光を指示する指示制御手段とを具備することを特徴とする。
【０００８】
また、好ましい態様として、例えば請求項２記載のように、請求項１記載の携帯端末において、前記発光手段による発光モードの切り替え指示を行う発光モード切替指示手段と、前記発光モード切替指示手段による切り替え指示が操作されるたびに、前記発光手段による発光モードを順次巡回的に切り替える発光モード切替手段と、前記撮像手段による撮影時に、前記発光モード切替手段により切り替えられた発光モードで前記発光手段の発光を制御する発光制御手段とを具備するようにしてもよい。
【０００９】
また、好ましい態様として、例えば請求項３記載のように、請求項２記載の携帯端末において、前記発光手段は、発光モードとして、露出に応じて発光量を自動制御する自動発光モードと、所定の発光量で強制的に発光する強制発光モードと、発光しない発光禁止モードとを有するようにしてもよい。
【００１０】
また、上記目的達成のため、請求項４記載の発明によるフラッシュ制御方法は、蓋部と本体部とを備え、かつ折り畳み可能な形状を有し、被写体を撮影する撮影手段と、撮影手段による露出不足を補うための発光手段とを有する携帯端末におけるフラッシュ制御方法であって、折り畳み状態を解除した状態では、折り畳み状態を解除したときに露出する位置に配設された第１の操作ボタンが操作されるたびに、前記発光手段による複数の発光モードを順次巡回的に切り替え、前記撮像手段による撮影時に、切り替えられた発光モードで前記発光手段の発光を制御し、折り畳んだ状態では、折り畳んだ状態のときに露出する位置に配設されている第２の操作ボタンが操作されるたびに、前記発光手段による複数の発光モードを順次巡回的に切り替え、前記撮像手段による撮影時に、切り替えられた発光モードで前記発光手段の発光を制御することを特徴とする。
【発明の効果】
【００１１】
請求項１記載の発明によれば、指示制御手段により、当該端末が折り畳み状態か折り畳み状態を解除した状態かを判断する判断手段と、この判断手段により当該端末が折り畳んだ状態と判断したときは、前記第１の操作ボタンが操作されたことを検出して前記発光手段による発光を指示すると共に、当該端末が折り畳んだ状態を解除した状態と判別したときは、前記第２の操作ボタンが操作されたことを検出して前記発光手段による発光を指示するようにしたので、フラッシュ発光を容易に制御することができるという利点が得られる。
【００１２】
また、請求項２記載の発明によれば、前記発光モード切替指示手段による切り替え指示が操作されるたびに、発光モード切替手段により、前記発光手段による発光モードを順次巡回的に切り替え、発光制御手段により、前記撮像手段による撮影時に、前記発光モード切替手段により切り替えられた発光モードで前記発光手段の発光を制御するようにしたので、フラッシュ発光を容易に制御することができるという利点が得られる。
【００１３】
また、請求項３記載の発明によれば、露出に応じて発光量を自動制御する自動発光モード、所定の発光量で強制的に発光する強制発光モード、あるいは発光しない発光禁止モードのいずれかで前記発光手段を発光させるようにしたので、フラッシュ発光を容易に制御することができるという利点が得られる。
【００１４】
また、請求項６記載の発明によれば、折り畳み状態を解除した状態では、折り畳み状態を解除したときに露出する位置に配設された第１の操作ボタンが操作されるたびに、前記発光手段による複数の発光モードを順次巡回的に切り替え、前記撮像手段による撮影時に、切り替えられた発光モードで前記発光手段の発光を制御し、折り畳んだ状態では、折り畳んだ状態のときに露出する位置に配設されている第２の操作ボタンが操作されるたびに、前記発光手段による複数の発光モードを順次巡回的に切り替え、前記撮像手段による撮影時に、切り替えられた発光モードで前記発光手段の発光を制御するようにしたので、フラッシュ発光を容易に制御することができるという利点が得られる。
【発明を実施するための最良の形態】
【００１５】
以下、本発明の実施の形態を、カメラ付き携帯電話に適用した一実施例として、図面を参照して説明する。
【００１６】
Ａ．実施形態の構成
図１は、本発明の実施形態によるカメラ付き携帯電話１の外観図（開状態：正面図、側面図）である。本実施形態における携帯電話１は、蓋部２と本体部３とからなる二つ折り構造である。スピーカ１０１は、蓋部２の前面側に設けられており、電話モードにおける通話時には音声出力を行なう。表示部（メイン表示部）１０２は、カラー液晶であり、ＱＶＧＡの解像度を有し、撮影した画像やダウンロードした画像を表示可能となっている。アンテナ１０３は、本体部の背面に設けられており、伸縮自在となっている。
【００１７】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。
【００１８】
カメラキー１０４は、電源オン状態におけるカメラモードへの移行、後述するＤＳＰ１４０の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したり、撮影モードでのシャッターキーとして用いられるキーである。アドレスキー１０８は、アドレス帳データを表示するためのキーである。ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行なうためのキーである。なお、本実施形態では、テンキー１１３のうち、キー１１３ａは、蓋部２を開けた状態で撮影する際のフラッシュ切替用のキーとして機能するようになっている。マイク１１４は、本体部の下部に設けられており、通話時における音声入力を行なう。カードスロット（カバー）１１５は、外部記録メディア（例えば、ｍｉｎｉＳＤカード）を装着するスロットである。
【００１９】
蓋部２の背面には、サブ表示部１１６が設けられており、携帯電話１が閉じられた状態において、日時表示や、着信報知、メール着信報知、静止画や動画撮影時の補助画面などに用いられる他、カメラモードにおいては、後述する撮像レンズ１１８にて逐次撮り込まれる画像をモニター表示するためのファインダーとして機能する。報知用ＬＥＤ１１７は、発光することにより着信報知、メール着信報知を行なう。撮像レンズ１１８は、静止画や動画を撮影する。フラッシュ用ＬＥＤ１１９は、静止画や動画撮影時に発光し、露出不足を防止するための発光手段である。報知スピーカ１２０は、着信や緊急時などを報知する他、カメラモードにおいては被写対象に聞こえるようにシャッター音を出力するものである。１２１はバッテリバックである。
【００２０】
また、図２は、本実施形態によるカメラ付き携帯電話１の外観図（側面図（ａ）、閉状態正面図（ｂ））である。図において、キー１２７は、本体部３の側部に設けられ、閉じた状態でも操作可能となっている。このキー１２７は、蓋部２を開けた状態においては、音声をメモするボイス録音キーとして機能し、カメラモードで蓋部２を閉じた状態においては、カメラモードのシャッターキーとして機能する。キー１２８は、本体部３の側部に設けられ、閉じた状態でも操作可能となっている。このキー１２８は、電話モードにおいては、マナーキーとして機能し、カメラモードで蓋部２を閉じた状態においては、フラッシュ切替キーとして機能する。キー１２８を押下するたびに、露出に応じてフラッシュの発光量を自動制御する自動発光モード、所定の発光量で発光する強制発光モード、フラッシュを発光しない発光禁止モードを巡回的に順次切り替わり、いずれかのモードを選択することができるようになっている。
【００２１】
次に、図３は、上述したカメラ付き携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行なう。
【００２２】
通信制御部１３１は、ＷＷＷ接続制御を含む当該機器を制御する。通信データ処理部１３１１は、ＣＬＥＰ系音声復号処理回路、パケットデータ生成回路、およびパケットデータ復元回路を含み、通信プロトコルに沿ったデータ処理を行なう。オーディオインターフェース１３１２は、通信データ処理部１３１１で処理される音声信号の入出力処理を行い、マイク１１４からの音声を入力して音声信号に変換して、音声信号をスピーカ１０１から出力する。
【００２３】
システムＲＯＭ１３２は、図４に示すようなデータ構造を有し、主に無線通信処理全般を制御するための基本ＯＳやプロトコルプログラムを格納するプロトコル・プログラムエリア、端末の認証に必要な各種データ（加入者ＩＤを含む）などを格納する不揮発性設定データエリアからなる。ＲＡＭ１３３は、図５に示すようなデータ構造を有し、通信処理に関連するプロトコル／ドライバなどを記憶するワークエリア、その他のエリアからなる。画像処理制御部１３４は、撮影時または再生時における動画／静止画に対する、ＭＰＥＧ／ＪＰＥＧエンコードおよびデコード処理全般を行う。ＲＡＭ１３５は、図６に示すデータ構造を有し、アプリケーションヒープ等を格納するワークエリア、ユーザデータなどを格納するバックアップエリア、ファイルシステムを格納するシステム管理エリア、キャッシュメモリエリア、その他のエリアからなる。プログラムＲＯＭ１３６は、書換可能なＦｌａｓｈ  ＲＯＭで構成され、図７に示すようなデータ構造を有し、画像・イラスト・フォントなどを格納するデータエリア、ユーザデータ管理データやファイルシステム管理データなどを格納するファイルシステムエリア、データやプログラムなどを格納する辞書エリア、ＵＩプログラムエリアからなる。
【００２４】
表示モジュール系ドライバ１３７は、サブ表示部１１６、メイン表示部１０２、報知用ＬＥＤ１１７、フラッシュ用ＬＥＤ１１９を駆動させる。ステップモータ１３８は、撮像レンズ１１８のズーム制御を行う。撮像デバイス１３９は、ＣＣＤ、若しくはＣＭＯＳで構成され、撮像レンズ１１８により集束された映像をカラー画像として取り込む。ＤＳＰ１４０は、撮像デバイス１３９にて取り込まれた画像を符号化処理する。
【００２５】
音源ＩＣ１４２は、着信音などを生成する。アンプ１４３は、音源ＩＣ１４２からの音声信号を増幅し、報知スピーカ１２０から出力する。コネクタ１４４は、外部記録媒体（例えばｍｉｎｉＳＤカードなど）１４５を装着する。外部インターフェースコントローラ１４６は、ＵＳＢインターフェース、１８芯コネクタの両方のインターフェースを切り替え、外部機器との間でデータの送受信を制御する。ユーザメモリ１４９は、図８に示すようなデータ構造を有し、ダウンロードしたデータや、撮影した画像データ、メールデータ、アドレス帳データなどを格納するデータエリア、リードオンリエリア、ファイルシステム管理データからなる。アドレスデータバス処理部１２３は、通信制御部１３１、画像処理制御部１３４のアドレス制御、バスのデータの流れを制御する。
【００２６】
Ｂ．実施形態の動作
次に、上述した実施形態の動作について説明する。ここで、図９および図１０は、カメラ付き携帯電話１の動作を説明するためのフローチャートである。カメラ付き携帯電話１では、電源がオンとなると、まず、撮影モードであるか否かを判断し（Ｓ１０）、撮影モードでなければ、対応する動作モードへ進む（Ｓ１２）。
【００２７】
一方、撮影モードである場合には、蓋部２が閉じられているか否かを判断する（Ｓ１４）。そして、蓋部２が閉じられていない場合には、開閉状態を示すフラグＫを「０」とし（Ｓ１６）、蓋部２が閉じられている場合には、フラグＫを「１」とする（Ｓ１８）。後述する処理においては、フラッシュ用ＬＥＤ１１９の発光モードを切り替えるキーとして、上記フラグＫが「０」の場合には、本体部３の操作面上に配設されたキー１１３ａを監視し、上記フラグＫが「１」の場合には、本体部３の側部に配設されたキー１２８を監視することになる。
【００２８】
次に、撮影状況（露出など）に応じて、シャッタースピード／絞りを設定する（Ｓ２０）。次に、入力画像を表示部にスルー表示する（Ｓ２２）。このとき、蓋部２が開けられている場合には（Ｋ＝０）、メイン表示部１０２にスルー表示し、蓋部２が閉じられている場合には（Ｋ＝１）、サブ表示部１１６にスルー表示する。
【００２９】
次に、シャッターボタン（蓋部２が開いた状態（Ｋ＝０）：決定キー１０７、蓋部２が閉じ状態（Ｋ＝１）：キー１２７）が押下されて撮影操作が行われたか否かを判断する（Ｓ２４）。ここで、シャッターボタン（決定キー１０７またはキー１２７）が押下されない場合には、フラッシュ切替キーが操作されたか否かを判断する（Ｓ２６）。前述したように、蓋部２が開けられた状態（Ｋ＝０）では、キー１１３ａの操作をチェックし、蓋部２が閉じられた状態（Ｋ＝１）では、本体３の側部に設けられたキー（マナーキー併用）１２８をチェックする。そして、キー１１３ａまたはキー１２８が押下されると、発光モードを示すフラグＦを「１」だけインクリメントする（Ｓ２８）。
【００３０】
次に、フラグＦが「３」を超えたか否かを判断する（Ｓ３０）。そして、フラグＦが「３」を超えた場合には、フラグＦを「１」とし（Ｓ３２）、ステップＳ１４へ戻り、上述した処理を繰り返す。これにより、発光モードを示すフラグＦは、キー１１３ａまたはキー１２８が押下されるたびに、１→２→３→１→２→……と巡回的に遷移する。
【００３１】
フラグＦが「１」のとき、露出に応じてフラッシュ用ＬＥＤ１１９の発光量を自動制御する自動発光モード、フラグＦが「２」のとき、所定の発光量で発光する強制発光モード、フラグＦが「３」のとき、フラッシュを発光しない発光禁止モードとすれば、キー１１３ａまたはキー１２８が押下されるたびに、自動発光モード→強制発光モード→発光禁止モード→自動発光モード→……と、発光モードが巡回的に切り替わることになる。また、蓋部２を閉じたり、開いたりしても、ステップＳ１６またはＳ１８で、蓋部２の開閉状態を示すフラグＫの値を切り替えているので、蓋部２の開閉状態に応じて操作可能なキー１１３ａまたはキー１２８のどちらでも発光モードを切り替えることができる。
【００３２】
また、シャッターボタン（決定キー１０７またはキー１２７）も発光モード切替用のきー（キー１１３ａまたはキー１２８）のいずれも押下されない場合には、その他の操作が行われたか否かを判断し（Ｓ３４）、その他の操作が行われた場合には、対応するその他の処理を実行し（Ｓ３６）、ステップＳ１４へ戻り、上述した処理を繰り返す。一方、何の操作も行われない場合には、そのままテップＳ１４へ戻り、上述した処理を繰り返す。
【００３３】
そして、シャッターボタン（決定キー１０７またはキー１２７）が押下されると、撮影状況（露出など）と、その時点の発光モード(フラグＦ)に従って、フラッシュ用ＬＥＤ１１９の発光の有無、発光量を自動制御して撮影する（Ｓ３８）。すなわち、露出に応じて発光量を自動制御する自動発光モード（Ｆ＝１）が選択されている場合には、撮影状況（露出など）に従って、フラッシュ用ＬＥＤ１１９の発光量を調整しつつ発光して撮影する。このとき、露出が十分であれば（十分に明るければ）、フラッシュ用ＬＥＤ１１９が発光しない場合もあり得る。また、所定の発光量で発光する強制発光モード（Ｆ＝２）が選択されている場合には、所定の発光量で、フラッシュ用ＬＥＤ１１９を強制発光して撮影する。また、フラッシュを発光しない発光禁止モード（Ｆ＝３）が選択されている場合には、露出が十分であるか否かにかかわらず、フラッシュ用ＬＥＤ１１９を発光することなく撮影する。
【００３４】
次に、撮影した画像をバッファメモリ（ＲＡＭ１３５）に記録し、表示部（メイン表示部１０２またはサブ表示部１１６）に表示する（Ｓ４０）。蓋部２が開いている場合には（Ｋ＝０）、メイン表示部１０２に表示し、蓋部２が閉じている場合には（Ｋ＝１）、サブ表示部１１６に表示する。次に、撮影画像を記録するか否かを判断する（Ｓ４２）。通常、表示部（メイン表示部１０２またはサブ表示部１１６）に記録するか否かをユーザに選択させる画面を表示し、ユーザからの選択を待つ。そして、撮影画像を記録する場合には、撮影画像データを符号化／変換／圧縮処理を行い（Ｓ４４）、該画像処理した画像データを画像メモリ（ユーザメモリ１４９）に記録する（Ｓ４６）。その後、ステップＳ１０へ戻る。以下、上述した処理を繰り返す。
【００３５】
上述した実施形態によれば、フラッシュ用ＬＥＤ１１９の発光モードに、露出に応じて発光量を自動制御して発光させる自動発光モードを設けるようにしたので、撮影状況に応じたより適切な撮影条件で撮影することができる。また、１つのキー操作で、露出に応じて発光量を自動制御する自動発光モード、所定の発光量で強制的に発光する強制発光モード、発光させない発光禁止モードを、容易に巡回的に切り替えることができる。さらに、発光モードを切り替えるための機能キーを、蓋部を開けた状態での撮影時には、テンキーなど蓋部を開けた状態で露出するキーに割り当て、蓋部を閉じた状態での撮影時には、本体の側部に配設したキーに割り当てることで、蓋部を開けた状態でも、蓋部を閉じた状態のいずれでも、容易にフラッシュ用ＬＥＤ１１９の発光モードを切り替えることができる。
【図面の簡単な説明】
【００３６】
【図１】本発明の実施形態によるカメラ付き携帯電話１の外観図（開状態：正面図、側面図）である。
【図２】本実施形態によるカメラ付き携帯電話１の外観図（側面図（ａ）、閉状態正面図（ｂ））である。
【図３】カメラ付き携帯電話１の構成を示すブロック図である。
【図４】システムＲＯＭ１３２のデータ構造を示す概念図である。
【図５】ＲＡＭ１３３のデータ構造を示す概念図である。
【図６】ＲＡＭ１３５のデータ構造を示す概念図である。
【図７】プログラムＲＯＭ１３６のデータ構造を示す概念図である。
【図８】ユーザメモリ１４９のデータ構造を示す概念図である。
【図９】カメラ付き携帯電話１の動作を説明するためのフローチャートである。
【図１０】カメラ付き携帯電話１の動作を説明するためのフローチャートである。
【符号の説明】
【００３７】
１  携帯電話（携帯端末）
２  蓋部
３  本体部
１０１  スピーカ
１０２  メイン表示部
１０３  アンテナ
１０４  カメラキー
１０５  メールキー
１０６  十字キー
１０７  決定キー
１０８  アドレスキー
１０９  ネット接続キー
１１０  クリアキー
１１１  オンフックキー
１１２  オフフックキー
１１３  テンキー
１１３ａ  キー（発光モード切替指示手段、第２の操作ボタン）
１１４  マイク
１１６  サブ表示部
１１７  報知用ＬＥＤ
１１８  撮像レンズ（撮像手段）
１１９  フラッシュ用ＬＥＤ（発光手段）
１２０  報知スピーカ
１２３  アドレスデータバス処理部
１２７  キー
１２８  キー（発光モード切替指示手段、第１の操作ボタン）
１３０  無線送受信部
１３１  通信制御部（判断手段、指示制御手段、発光制御手段）
１３１１  通信データ処理部
１３１２  オーディオインターフェース
１３２  システムＲＯＭ
１３４  画像処理制御部
１３６  プログラムＲＯＭ
１３７  表示モジュール系ドライバ
１３８  ステップモータ
１３９  撮像デバイス
１４０  ＤＳＰ（撮像手段）
１４２  音源ＩＣ
１４３  アンプ
１４４  コネクタ
１４６  外部インターフェースコントローラ
１４９  ユーザメモリ
【図１】
2005184696.tif 000003
【図２】
2005184696.tif 000004
【図３】
2005184696.tif 000005
【図４】
2005184696.tif 000006
【図５】
2005184696.tif 000007
【図６】
2005184696.tif 000008
【図７】
2005184696.tif 000009
【図８】
2005184696.tif 000010
【図９】
2005184696.tif 000011
【図１０】
2005184696.tif 000012